(57)【特許請求の範囲】
【請求項１】
円柱状の軸受部の外周に接線方向に延びる取付片を設けた一対のヒンジ部材を有し、各ヒンジ部材における軸受部の軸心上に大径孔部、中径孔部および小径孔部を有する段付き孔から成る一対の嵌合孔を、その大径孔部が軸受部の両端に位置するよう上下対称に設け、その嵌合孔の大径孔部に挿入される大径部と、中径孔部に挿入される中径部および小径孔部に挿入される小径部を有し、その小径部の軸方向長さが大径部と中径部の軸方向長さを加えた長さより長くされた滑り軸受を各ヒンジ部材における一方の嵌合孔に嵌合し、前記各中径孔部の内周と滑り軸受の中径部の外周の一方に軸方向に延びる回り止め溝を設け、他方にその回り止め溝に挿入される突条を形成し、一方の滑り軸受に形成された挿入孔に支点軸の一端部を挿入し、その支点軸の他端部を他方の滑り軸受に形成された挿入孔に挿入して、一対のヒンジ部材を相対的に回転自在に支持したヒンジ。
【請求項２】
前記一対の滑り軸受の対向端部に、円周方向に傾斜するカム面を先端に有するカム筒部を一体に設けた請求項１に記載のヒンジ。
【発明の詳細な説明】
【０００１】
【発明の属する技術分野】
この発明は、主として、公衆トイレの扉を開閉自在に支持するヒンジに関するものである。
【０００２】
【従来の技術】
一般に、公衆トイレにおける扉装置には、図７（Ｉ）に示すように、仕切りパネルＡに形成された出入口ａを開閉する扉Ｂの閉鎖状態において、扉Ｂの表面と仕切りパネルＡの表面とがほぼ同一の平面を形成するスタンダードタイプのものと、図７（II）に示すように、扉Ｂの閉鎖状態において、扉Ｂの吊元側および戸先側の端部が仕切りパネルＡの出入口ａの両側部と前後で対向するパブリックタイプのものとが存在する。
【０００３】
上記扉装置における扉の支持には、普通、円柱状軸受部の外周に接線方向に延びる取付片を設けた一対のヒンジ部材を支点軸により相対的に回転自在に連結したヒンジが用いられる。
【０００４】
この場合、スタンダードタイプの扉装置における扉Ｂの支持に際し、ヒンジとしては、図８（Ｉ）に示すように、一対のヒンジ部材Ｙ1 、Ｙ2 が上下に配置され、各ヒンジ部材Ｙ1 、Ｙ2 に設けられた取付片Ｐ1 、Ｐ2 が同一平面上において左右に配置されたものが用いられる。
【０００５】
一方、パブリックタイプの扉装置における扉Ｂの支持に際し、ヒンジとしては、図８（II）に示すように、一対のヒンジ部材Ｙ1 、Ｙ2 が上下に配置され、各ヒンジ部材Ｙ1 、Ｙ2 に設けられた取付片Ｐ1 、Ｐ2 が同一平面上において同一側に配置されたものが使用される。
【０００６】
【発明が解決しようとする課題】
上記のように、従来は、タイプの異なる扉装置の扉の支持に際し、形態の異なるヒンジを用いるようにしているため、ヒンジメーカにおいては、スタンダードタイプ用とパブリックタイプ用の２種類のヒンジを製作する必要が生じ、きわめて不経済であった。
【０００７】
また、扉の吊下げに際しては、扉の左側を吊元とする場合と、右側を吊元とする場合とがあり、従来は左勝手用のヒンジと右勝手用ヒンジの２種類を製造してそれぞれの扉に対応可能としており、きわめて不経済であった。
【０００８】
この発明の課題は、スタンダードタイプの扉装置における扉およびパブリックタイプの扉装置における扉の両方を開閉自在に支持することができると共に、左右両勝手の使用に対応することができるようにしたヒンジを提供することである。
【０００９】
【課題を解決するための手段】
上記の課題を解決するために、この発明においては、円柱状の軸受部の外周に接線方向に延びる取付片を設けた一対のヒンジ部材を有し、各ヒンジ部材における軸受部の軸心上に大径孔部、中径孔部および小径孔部を有する段付き孔から成る一対の嵌合孔を、その大径孔部が軸受部の両端に位置するよう上下対称に設け、その嵌合孔の大径孔部に挿入される大径部と、中径孔部に挿入される中径部および小径孔部に挿入される小径部を有し、その小径部の軸方向長さが大径部と中径部の軸方向長さを加えた長さより長くされた滑り軸受を各ヒンジ部材における一方の嵌合孔に嵌合し、前記各中径孔部の内周と滑り軸受の中径部の外周の一方に軸方向に延びる回り止め溝を設け、他方にその回り止め溝に挿入される突条を形成し、一方の滑り軸受に形成された挿入孔に支点軸の一端部を挿入し、その支点軸の他端部を他方の滑り軸受に形成された挿入孔に挿入して、一対のヒンジ部材を相対的に回転自在に支持した構成を採用したのである。
【００１０】
上記のように構成すれば、上側のヒンジ部材を支点軸から抜き差しする操作と、引き抜き後にヒンジ部材の上下を反転する操作と、一対の嵌合孔に対する滑り軸受の差し換えを行うことにより、一対の取付片が同一平面上において左右に配置されるヒンジ、あるいは一対の取付片が、同一平面上において同一側に配置される２種類のヒンジを形成することができ、スタンダードタイプの扉装置およびパブリックタイプの扉装置の扉のいずれも開閉自在に支持することができる。
【００１１】
また、各ヒンジ部材の一対の嵌合孔に対する滑り軸受の差し換えを行なう操作と、滑り軸受の引き抜き後に各ヒンジ部材の上下を反転する操作とを行なうことにより、左勝手用ヒンジあるいは右勝手用ヒンジを形成することができ、１つのヒンジを左右両勝手に使用することができる。
【００１２】
ここで、一対の滑り軸受の対向端部に、円周方向に傾斜するカム面を先端に有するカム筒部を一体に設けておくと、ヒンジによって支持された扉をカム面のカム作用によって閉鎖位置又は開放位置に自動的に戻すことができる。
【００１３】
【発明の実施の形態】
以下、この発明の実施の形態を図面に基づいて説明する。図１および図２に示すように、ヒンジは、一対のヒンジ部材Ｘ1 、Ｘ2 を有し、各ヒンジ部材Ｘ1 、Ｘ2 は、円柱状の軸受部１の外周に接線方向に延びる取付片２を形成し、各取付片２に複数のビス挿入孔２ａを設けている。
【００１４】
軸受部１には、その軸心上に一対の嵌合孔３、３が設けられ、その一対の嵌合孔３間に小径の孔４が形成されている。一対の嵌合孔３、３は、大径孔部３ａ、中径孔部３ｂおよび小径孔部３ｃを有する段付き孔から成り、大径孔部３ａが軸受部１の両端に位置するよう上下対称に設けられ、その中径孔部３ｂの内周には軸方向に延びる回り止め溝５が周方向に間隔をおいて形成されている。
【００１５】
各ヒンジ部材Ｘ1 、Ｘ2 における一方の嵌合孔３には滑り軸受６が嵌合されている。滑り軸受６は、大径孔部３ａに嵌合される大径部６ａ、中径孔部３ｂに嵌合される中径部６ｂおよび小径孔部３ｃに嵌合される小径部６ｃを有し、上記中径部６ｂの外周に前記回り止め溝５に挿入される突条７が設けられ、その突条７と回り止め溝５の係合によって滑り軸受６が回り止めされている。
【００１６】
また、滑り軸受６のそれぞれには上下端に貫通する挿入孔８が形成され、一対の滑り軸受６の挿入孔８に跨がるようにして挿入された支点軸９によって一対のヒンジ部材Ｘ1 、Ｘ2 が相対的に回転自在に支持されている。
【００１７】
ここで、支点軸９は一端部に大径部９ａを有し、その大径部９ａの外周にローレット目９ｂが形成され、上記大径部９ａが下側ヒンジ部材Ｘ2 における滑り軸受６の挿入孔８に圧入されている。
【００１８】
上側ヒンジ部材Ｘ1 における上側の嵌合孔３および下側ヒンジ部材Ｘ2 における下側の嵌合孔３には栓体１０が着脱自在に挿入されている。
【００１９】
実施の形態で示すヒンジは上記の構造から成り、図１は、一対の取付片２、２が同一平面上において同軸上に配置された軸受部１の左右に配置された状態を示し、その状態のヒンジを用いることによって、図７（Ｉ）に示すスタンダードタイプの扉装置における扉Ｂを開閉自在に支持することができる。
【００２０】
上記ヒンジを用いて、図７（II）に示すパブリックタイプの扉装置における扉Ｂを開閉自在に支持するには、上側のヒンジ部材Ｘ1 を支点軸９から上方に引き抜き、滑り軸受６および栓体１０を嵌合孔３から抜き取ったのち、上側のヒンジ部材Ｘ1 の上下を反転し、下側に配置された嵌合孔３に滑り軸受６を嵌合する。そして、その滑り軸受６の挿入孔８に支点軸９を挿入し、上側の嵌合孔３に栓体１０を取り付ける。
【００２１】
上記のように、上側のヒンジ部材Ｘ1 の上下反転と、一対の嵌合孔３に対する滑り軸受６の差し換えを行って一対のヒンジ部材Ｘ1 、Ｘ2 の相対的な回転により、一対の取付片２、２を軸受部１の一側に配置することによって、その一対の取付片２、２は図４に示すように同一の平面上において上下で対向配置されることになる。したがって、そのヒンジを用いることによって図７（II）に示すパブリックタイプの扉装置における扉Ｂを開閉自在に支持することができる。
【００２２】
図５および図６は、この発明に係るヒンジの他の実施の形態を示す。この実施形態においては、一対の滑り軸受６の対向端部に、径の異なる二つのカム筒部１１ａ、１１ｂを一体に設け、各カム筒部１１ａ、１１ｂの先端に円周方向に傾斜するカム面１２ａ、１２ｂを１８０°の位相差をもって形成している。
【００２３】
上記のように、滑り軸受６にカム筒部１１ａ、１１ｂを一体に設けると、下側ヒンジ部材Ｘ2 に対して上側ヒンジ部材Ｘ1 を回転させた場合に、対向配置の一対の滑り軸受６はカム面１２ａ、１２ｂに沿って回動するため、上側ヒンジ部材Ｘ1 は回転しつつ上方に移動する。
【００２４】
そして、上側のヒンジ部材Ｘ1 を所定角度回動したのち、回転操作力を解除すると、互いに衝合するカム面１２ａ、１２ｂの接触部に上側ヒンジ部材Ｘ1 の重量が作用するため、上側ヒンジ部材Ｘ1 はカム面１２ａ、１２ｂに沿って回転しつつ下降する。
【００２５】
このため、下側のヒンジ部材Ｘ2 における取付片２を、例えば図７（Ｉ）に示す仕切りパネルＡに取付け、上側のヒンジ部材Ｘ1 における取付片３を扉Ｂに取り付けることによって、扉Ｂを自動的に閉鎖位置又は開放位置に戻すことができる。
【００２６】
なお、各ヒンジ部材Ｘ1 、Ｘ2 から滑り軸受６を抜き取り、その抜き取り後に、各ヒンジ部材Ｘ1 、Ｘ2 の上下を反転する操作と、各ヒンジ部材Ｘ1 、Ｘ2 の一対の嵌合孔３に対する滑り軸受６の差し換えを行なう操作とを行なったのち、支点軸９を上側ヒンジ部材Ｘ1 の滑り軸受６内に挿入することにより、左勝手用ヒンジおよび右勝手用ヒンジを形成することができ、左右両勝手用ヒンジとして使用することができる。
【００２７】
【発明の効果】
以上のように、この発明においては、支点軸に対するヒンジ部材の抜き差しと、引き抜き後においてヒンジ部材の上下を反転させる操作と、一対の嵌合孔に対する滑り軸受の差し換えとを行うことによって、一対の取付片が同一平面上において上下に対向配置される状態と、同一平面上で軸受部の左右に配置される状態とに変換することができるため、一つのヒンジによって、スタンダードタイプの扉装置の扉およびパブリックタイプの扉装置の扉のいずれも開閉自在に支持することができ、きわめて経済的である。
【００２８】
また、各ヒンジ部材の嵌合孔に対する滑り軸受の差し換えと、滑り軸受の引き抜き後に各ヒンジ部材の上下を反転させる操作とを行なうことにより、左勝手用ヒンジあるいは右勝手用ヒンジを形成することができ、１つのヒンジを左右両勝手に使用することができる。
【図面の簡単な説明】
【図１】この発明に係るヒンジの実施形態を示す斜視図
【図２】図１の縦断正面図
【図３】図２のIII −III 線に沿った断面図
【図４】図１に示すヒンジをパブリックタイプの扉装置における扉の支持用に変換した状態の斜視図
【図５】この発明に係るヒンジの他の実施形態を示す縦断面図
【図６】図５に示すヒンジの軸受部材を示す斜視図
【図７】（Ｉ）、（II）は扉装置の各例を示す平面図
【図８】（Ｉ）、（II）は従来のヒンジを示す正面図
【符号の説明】
Ｘ１、Ｘ２    ヒンジ部材
１  軸受部
２  取付片
３  嵌合孔
３ａ  大径孔部
３ｂ 中径孔部
３ｃ  小径孔部
５  回り止め溝
６  滑り軸受
６ａ  大径部
６ｂ 中径部
６ｃ  小径部
７  突条
８  挿入孔
９  支点軸
１１ａ、１１ｂ  カム筒部
１２ａ、１２ｂ  カム面
【図１】
0004435401.tif 000002
【図２】
0004435401.tif 000003
【図３】
0004435401.tif 000004
【図４】
0004435401.tif 000005
【図５】
0004435401.tif 000006
【図６】
0004435401.tif 000007
【図７】
0004435401.tif 000008
【図８】
0004435401.tif 000009